(57)【要約】【課題】装飾役物が大型化した場合であっても遊技領域を狭めることなく、かつ装飾役物全体に対し効果的に発光装飾を行うことが可能な遊技機を提供する。【解決手段】透光性を有し、裏側領域が視認可能な遊技盤ベース７と、遊技盤ベース７の表側の遊技領域に備えられる遊技部材とで構成される遊技盤６と、遊技盤６の背面側に備えられ、上方領域に上部装飾部材４０組み込み可能な装飾ユニット３３とを含み、上部装飾部材４０は、遊技盤ベース７の透光性を有する領域を介して背面側から遊技盤６を装飾するとともに、光拡散加工が施された光拡散領域ＳＡ１を有する上部装飾役物４１と、上部装飾役物４１の光拡散領域ＳＡ１に向けて光を照射する上部発光装置４９とを含む。【選択図】図２
2009005848.tif 000002
【特許請求の範囲】
【請求項１】
透光性を有し、裏側領域が視認可能な遊技盤ベースと、遊技盤ベースの表側の遊技領域に備えられる遊技部材とで構成される遊技盤と、
遊技盤の背面側に備えられ、装飾部材を組み込み可能な装飾ユニットとを含み、
装飾部材は、遊技盤ベースの透光性を有する領域を介して背面側から遊技盤を装飾するとともに、光拡散加工が施された光拡散領域を有する装飾役物と、前記装飾役物の光拡散領域に向けて光を照射する発光装置とを含むことを特徴とする遊技機。
【請求項２】
装飾ユニットの背面側に備えられ、遊技盤ベースの遊技領域の所定領域に、画像による演出を表示する画像表示領域を構成する画像表示手段を含み、
装飾ユニットに組み込まれる装飾役物の光拡散領域は、画像表示領域の上方に備えられていることを特徴とする請求項１に記載の遊技機。
【請求項３】
装飾ユニットに組み込まれる装飾役物は、遊技盤ベースの背面方向に向けて下り傾斜状の傾斜面を備え、
光拡散領域は、この傾斜面に形成されていることを特徴とする請求項１又は２に記載の遊技機。
【請求項４】
装飾ユニットに組み込まれる装飾役物の光拡散領域は、傾斜面と発光装置との間に形成される凹凸加工面であることを特徴とする請求項３に記載の遊技機。
【請求項５】
装飾ユニットに組み込まれる装飾役物は、少なくともその一部が遊技領域の左右方向端部間にわたる大きさを有し、
光拡散領域は、前記遊技領域の左右の端部と対応する位置に形成されていることを特徴とする請求項３又は４に記載の遊技機。
【請求項６】
発光装置は、光拡散領域を上方から照射するように装飾ユニットに下向きに組み込まれていることを特徴とする請求項５に記載の遊技機。
【請求項７】
遊技盤ベースの表面に設けられ、遊技球の発射領域と遊技領域を区画するガイドレールを含み、
ガイドレールは、少なくとも装飾ユニットに組み込まれる装飾役物よりも上方に位置する領域に、発光装飾領域を有していることを特徴とする請求項１乃至６のいずれかに記載の遊技機。
【発明の詳細な説明】
【技術分野】
【０００１】
本発明は、弾球遊技機（いわゆるパチンコ機）、詳しくは、大型の装飾役物を備えた遊技機に関する。
【背景技術】
【０００２】
弾球遊技機では、例えば、遊技者が発射ハンドルを操作して、遊技球を発射領域から遊技領域へと打ち込み、遊技球が遊技領域を転動流下して所定の入賞装置への入賞を契機に所定の賞球を得て遊技を楽しむものであるが、昨今遊技者のニーズも高まり、単に賞球を得るだけでは遊技者の興趣を向上させることが困難になっている。
【０００３】
そこで昨今の遊技機では、遊技者の興趣を向上させるため、種々の趣向を凝らせているものであり、その１つとして遊技盤に様々な装飾役物を配設し、装飾的・演出的効果を上げることにより興趣の向上を図っているものが知られている。
このような遊技の興趣を向上させる装飾役物は大型化の傾向にあり、大型の装飾役物は、遊技盤の意匠的効果や演出効果を向上させている（例えば特許文献１、特許文献２を参照。）。
【特許文献１】特開２００２−５８７９８号公報
【特許文献２】特開２００４−２１５９２０号公報
【０００４】
しかし、装飾役物が大型化した場合、次のような種々の課題がある。
（１）大型化された装飾役物を遊技盤ベースの表面、すなわち遊技領域に配設することにより、遊技球が転動する遊技領域（遊技球転動領域）が狭められてしまい、遊技性を損ねてしまう虞もある。
（２）装飾役物が大型化して遊技盤の左右方向の端部領域まで達するような場合、遊技盤の中央や、装飾役物が配されていない領域、若しくは窓枠部分に設けられる発光装置によっては、装飾役物を効果的に発光装飾できないという問題もある。
特に、上述のように遊技盤の左右方向の端部領域まで達するような大型の装飾役物の場合、その役物の端部領域は窓枠と重なる部分となるため、発光装飾の効果は低く、大型化した装飾役物を効果的に発光装飾することができない。
【発明の開示】
【発明が解決しようとする課題】
【０００５】
本発明は、このような問題を解決するためになされており、その目的とするところは、装飾役物が大型化した場合であっても遊技領域を狭めることなく、かつ装飾役物全体に対し効果的に発光装飾を行うことが可能な遊技機を提供することである。
【課題を解決するための手段】
【０００６】
このような目的を達成するために、第１の発明は、透光性を有し、裏側領域が視認可能な遊技盤ベースと、遊技盤ベースの表側の遊技領域に備えられる遊技部材とで構成される遊技盤と、
遊技盤の背面側に備えられ、装飾部材を組み込み可能な装飾ユニットとを含み、
装飾部材は、遊技盤ベースの透光性を有する領域を介して背面側から遊技盤を装飾するとともに、光拡散加工が施された光拡散領域を有する装飾役物と、前記装飾役物の光拡散領域に向けて光を照射する発光装置とを含むことを特徴とする遊技機としたことである。
【０００７】
本発明によれば、装飾役物が遊技盤の背面側に備えられるので、遊技盤の全面の遊技領域を狭めることがない。従って、装飾役物の大型化に有効に対応でき遊技者の興趣の向上の実効が図れる。
また、装飾役物には光拡散領域が備えられ、その光拡散領域が発光装置によって照射されることにより、装飾役物が効果的に発光装飾される。
【０００８】
第２の発明は、第１の発明において、装飾ユニットの背面側に備えられ、遊技盤ベースの遊技領域の所定領域に、画像による演出を表示する画像表示領域を構成する画像表示手段を含み、
装飾ユニットに組み込まれる装飾役物の光拡散領域は、画像表示領域の上方に備えられていることを特徴とする遊技機としたことである。
【０００９】
本発明によれば、画像表示領域の上方に備えた光拡散領域により、画像演出が展開されない領域での装飾効果を高めることができる。
【００１０】
第３の発明は、第１又は第２の発明において、装飾ユニットに組み込まれる装飾役物は、遊技盤ベースの背面に向けて下り傾斜状の傾斜面を備え、
光拡散領域は、この傾斜面に形成されていることを特徴とする遊技機としたことである。
【００１１】
本発明によれば、傾斜面の光拡散領域により、発光装置から照射された光を遊技者方向に拡散することができる。
【００１２】
第４の発明は、第３の発明において、装飾ユニットに組み込まれる装飾役物の光拡散領域は、傾斜面と発光装置との間に形成される凹凸加工面であることを特徴とする遊技機としたことである。
【００１３】
本発明によれば、凹凸加工面による光拡散効果により、装飾役物を効果的に発光装飾できる。
【００１４】
第５の発明は、第３又は第４の発明において、装飾ユニットに組み込まれる装飾役物は、少なくともその一部が遊技領域の左右方向端部間にわたる大きさを有し、
光拡散領域は、前記遊技領域の左右の端部と対応する位置に形成されていることを特徴とする遊技機としたことである。
【００１５】
本発明によれば、装飾役物が遊技領域の左右方向端部間にわたる大きさとしたため、役物による装飾効果を高めることができるとともに、その装飾役物には、その遊技領域の端部と対応する位置に光拡散領域が備えられているため、その光拡散領域が発光装置によって照射されることにより、装飾役物の端部が効果的に発光装飾される。
従って、これにより大型化した装飾役物を備えた場合の発光装飾効果の低下を防止できる。すなわち、このような遊技領域の端部と対応する位置は、窓枠に備えた発光装置では効果的に発光装飾することができないため、装飾役物を大型化したとしてもその装飾効果は遊技者の興趣を向上させるほどではない。しかし、本発明のように遊技領域の左右の端部と対応する位置に光拡散領域を形成した装飾役物とすれば、発光装飾効果が得られ難いこのような領域であっても発光装飾効果が得られる。
【００１６】
第６の発明は、第５の発明において、発光装置は、光拡散領域を上方から照射するように装飾ユニットに下向きに組み込まれていることを特徴とする請求項５に記載の遊技機。
【００１７】
本発明によれば、装飾役物の上方から、その装飾役物目掛けて発光装置が下向きに光を照射するため、装飾役物に直接光が照射され、装飾役物を一段と強く発光させることが出来る。
特に、窓枠部分に備えられる発光装置によっては装飾役物を効果的に発光装飾できない領域である遊技領域の左右端部領域であっても効果的に発光装飾できる。
【００１８】
第７の発明は、第１乃至第６のいずれかの発明において、遊技盤ベースの表面に設けられ、遊技球の発射領域と遊技領域を区画するガイドレールを含み、
ガイドレールは、少なくとも装飾ユニットに組み込まれる装飾役物よりも上方に位置する領域に、発光装飾領域を有していることを特徴とする遊技機としたことである。
【００１９】
本発明によれば、ガイドレールに発光装飾領域を備えることにより、ガイドレールにも発光装飾の効果を及ぼすことができるので、遊技領域の外周領域を効果的に発光装飾させることができる。
【発明の効果】
【００２０】
本発明によれば、装飾役物が大型化した場合であっても遊技領域を狭めることなく、かつ装飾役物全体に対し効果的に発光装飾を行うことが可能な遊技機を提供できた。
【発明を実施するための最良の形態】
【００２１】
以下、本発明の遊技機の一実施形態について説明する。なお、本実施形態では、本発明遊技機の一例として、図に示す形態の弾球遊技機（以下、単に遊技機という。）を挙げて説明するが、本実施形態は本発明遊技機の一例にすぎずなんら図示した形態に限定解釈されるものではなく、その他の形態を有する遊技機、あるいは封入球式遊技機なども対象で、本発明の範囲内で設計変更可能である。
すなわち、本実施形態では、図１に示すように、画像表示手段によって、遊技領域に複数種類の図柄が変動表示する演出を行う形態の遊技機を想定して以下説明するが、本発明の遊技機はこのような演出形態を備えない遊技機も対象である。
【実施例１】
【００２２】
図１は遊技機の一例を示す概略正面斜視図、図２は実施例１における装飾ユニットを遊技盤の背面側に備え、遊技盤ベースは省略されている状態の概略斜視図、図３は、装飾ユニットの概略正面斜視図、図４は上部装飾部材を除いた装飾ユニットの概略正面斜視図、図５は上部装飾部材を除いた装飾ユニットの概略背面図で、図６は上部装飾部材の概略正面斜視図、図７は上部装飾部材の概略背面斜視図、図８は上部装飾部材の概略平面図、図９は遊技盤と装飾ユニットと画像表示手段との位置関係を示す部分概略断面図、図１０は上部装飾部材の上部発光装置と天サイドレンズ部と上部装飾役物の傾斜面との関係を示す図で、（ａ）は指向性調整部を備えた形態の概略断面図、（ｂ）は指向性調整部を備えない形態の概略斜視図、図１１は実施例２における装飾ユニットを遊技盤の背面側に備え、遊技盤ベースは省略されている状態の概略斜視図、図１２は装飾ユニットの概略正面斜視図、図１３は遊技盤の背面側に備えた装飾ユニットの概略背面斜視図、図１４は図１３の状態から枠部を除いた状態の概略背面斜視図、図１５は図１４の状態から基板ホルダーを除いた状態の概略背面斜視図、図１６は図１５の状態から上部発光装置を除いた状態の概略斜視図、図１７は上部装飾部材の概略正面斜視図、図１８は下部装飾部材を構成する下部装飾役物の概略正面斜視図である。
【００２３】
遊技機は、図１に示すように遊技場の島設備に配設される本体枠１を含み、該本体枠１には図２に示す遊技盤６が装着されている。
そして、遊技盤６の背面側には、図９に示すように、遊技盤６の表面領域Ａ（遊技球転動領域Ａ１，画像表示領域Ａ２）に画像による演出を表示する画像表示手段（例えば液晶表示装置（LCD:Liquid Crystal Display）など）１８と、その画像表示手段１８と遊技盤６との間に備えられ、所定の装飾部材を組み込んでなる装飾ユニット３３が配設される。
【００２４】
本体枠１の前面側には、図１に示すように、透光性を有する合成樹脂板やガラス板などを組み込んで前記遊技盤６を視認可能にして開閉可能に配設される開閉扉２と、該開閉扉２の前面側に一体に備えられる上皿３と、該開閉扉２の下方にて本体枠１の前面側に配設される下皿４およびハンドル５が備えられている。
上皿３の前面側には、画像表示手段１８に変動表示される図柄の変動を、遊技者により停止操作可能な操作手段（図柄停止ボタン）２０が備えられている。
【００２５】
この開閉扉２は、本実施形態によれば、扉枠２ａの前面所定箇所にＬＥＤ（Light Emitting Diode  発光ダイオード）などの図示しない発光装置が備えられ、扉枠２ａの前面には、たとえばクロムメッキなどの金属色を有する加工が施された装飾パネル２ｂが備えられており、装飾パネル２ｂの発光装置に対応する領域は所定形状に刳り貫かれているとともに、所定の凹凸加工がなされた光拡散部を有するランプカバー２ｃが設置されている。
さらに前記装飾パネル２ｂは、表面領域Ａを臨ませている開口領域２ｄにある内側領域２ｅが、内から外に向けて拡開する傾斜面２ｆをもって形成されている。
従って、本実施形態の遊技機は、このように遊技者側と対面する遊技機の前面側にあたる開閉扉２が、発光装置によって発光するとともに、その発光した光が金属色を有する装飾パネル２ｂに反射して遊技機前面の全領域を強く発光させる。特に本実施形態では、金属色を有する装飾パネル２ｂの内側領域２ｅが、内から外に向けて拡開する傾斜面２ｆを有しているため、発光装置から照射される光は、ランプカバー２ｃの光拡散部によって拡散されその周辺の装飾パネル２ｂに反射するということのみではなく、傾斜面２ｆによって遊技領域Ａの前面を覆うように反射する。
【００２６】
本実施形態におけるハンドル５は、図１に示すように、遊技者側から見た状態で下皿４の左側（図１にて左側）に備えられており、ハンドル５の回動操作により内蔵されている図示しない遊技球発射機構（例えば発射ソレノイドなど）を操作し、遊技球を遊技盤６の遊技球転動領域Ａ１へ打ち出すものである。なお、ハンドル５は、遊技球を発射操作する場合に、遊技者側から見て時計方向に回転させる形態と、反時計方向に回転させる形態のいずれであってもよい。
このようにハンドル５を遊技機の左側に備えたことにより、操作手段（図柄停止ボタン）２０の操作が右手で行えるため、ボタン操作がし易い。また、特に左利きの遊技者にとってハンドル操作がし易くなるという利点もある。
なお、ハンドル５は、遊技者側から見た状態で右側に備えられる形態であってもよく特に限定解釈されるものではない。
【００２７】
画像表示手段（液晶表示装置）１８は、所定の可変表示開始条件が成立、例えば始動入賞装置９に遊技球が入賞し、遊技状態表示部１３の変動表示が開始することを開始条件として複数種類の装飾図柄１９ａ，１９ｂ，１９ｃが変動表示を開始するスロットマシンのリールの如く装飾図柄による演出表示領域を少なくとも有している（図１参照）。ただし、本発明の範囲内でその他の演出画像、例えば遊技状態に対応したアニメーションやその他の報知情報などによる演出表示領域を備えることも可能である。
また、装飾図柄１９ａ，１９ｂ，１９ｃの表示領域の大小及び形状は特に限定されず本発明の範囲内で設計変更可能である。表示領域全体の大小及び形状も任意で、本実施形態のように遊技盤６全体が後述する透明な部材からなる場合には、遊技盤６全体の大きさに対応した大きい領域にわたる大きな表示領域とすることができる。
【００２８】
画像表示手段（液晶表示装置）１８に表示される装飾図柄は、例えばスロット機のリールのように左右に３列（左列装飾図柄１９ａ、中列装飾図柄１９ｂ、右列装飾図柄１９ｃ）に並んで区別され、それぞれが上から下に向かって回転するように変動表示されているリール画像で、各装飾図柄１９ａ，１９ｂ，１９ｃの列毎に複数の装飾図柄が変動表示される。表示される装飾図柄１９ａ，１９ｂ，１９ｃは、特別図柄とは異なる図柄であって、上述の通り、特別図柄の変動開始に応じて変動が開始され、特別図柄の表示結果が導出されるまでの間に、後述する操作手段２０を遊技者が操作することによって停止表示がなされる。また、装飾図柄は、３つの図柄でなくてもよく、また変動表示の態様も上下方向に限られるものではなく、横方向あるいは前後方向などでもよい。
また、本実施形態では、３つの列のそれぞれの停止表示が、それぞれ１つずつ表示される実施の形態であるが、一つの列に複数、例えば３つずつ停止表示される形態などであってもよい。
【００２９】
操作手段２０は、本実施形態では、三列で変動表示する画像表示手段１８の各図柄列（左列装飾図柄１９ａ、中列装飾図柄１９ｂ、右列装飾図柄１９ｃ）に応じて三箇所のボタン（左図停止ボタン２０ａ，中図停止ボタン２０ｂ，右図停止ボタン２０ｃ）が、図１に示すように、上述した上皿３の前面に横並びで備えられている。
この操作手段２０の配設個所、配設個数若しくは形状などは特に限定されるものではなく本発明の範囲内で設計変更可能である。
【００３０】
この操作手段２０は、例えば図示しない遊技制御手段（副制御基板）に電気的に接続されている。そして、左図停止ボタン２０ａが押されると左図停止信号が、中図停止ボタン２０ｂが押されると中図停止信号が、右図停止ボタン２０ｃが押されると右図停止信号がそれぞれ遊技制御手段に入力されるようになっている。すなわち、それぞれの停止信号は、それぞれが対応する図柄を停止表示させるための信号であり、これら信号を受信した遊技制御手段により、画像表示手段（液晶表示装置）１８に変動表示中の対応図柄列の図柄を停止表示させるための制御が行われる。つまり、左図停止ボタン２０ａ、中図停止ボタン２０ｂ、右図停止ボタン２０ｃは、変動表示される各装飾図柄１９（左列装飾図柄１９ａ、中列装飾図柄１９ｂ、右列装飾図柄１９ｃ）を停止させる機能を有している。
【００３１】
本実施形態では、図示しないが、本体枠１内で画像表示手段１８の背面には、遊技の進行を制御する主制御基板（主制御回路）や、該主制御基板（主制御回路）からの信号に従って各演出装置（上部発光装置４４，下部発光装置４７、画像表示手段１８，スピーカなど）を制御する副制御基板（副制御回路）などの制御装置を配した図示しない基板ベースが装着されている。
本実施形態では、前記開閉扉２が配設される本体枠１の前面側上部に、該本体枠１上部に備えられる左右のスピーカを覆うように任意形状のカバー部材２５が配設されている。
【００３２】
遊技盤６は、図２に示すように、透光性部材からなる遊技盤ベース７の表面領域に、樹脂材からなる外側のガイドレールＬ１と、正面視左側で外側のガイドレールＬ１の内側に配され、所定の遊技球発射領域Ｄを形成する同じく樹脂財からなる内側のガイドレールＬ２を備え、そのガイドレールＬ１，Ｌ２によって区画された表面領域には、一般入賞装置８、遊技状態を大当りとするか否かの抽選処理を起動する始動領域としての始動入賞装置９、大当たり遊技状態の発生に基づき、入賞口の開放動作を行うアタッカと称する特別電動役物を構成する大入賞装置１１、遊技球の流下に変化を与える多数の遊技釘などの遊技部材を備えて遊技球転動領域Ａ１を構成している。
【００３３】
遊技盤ベース７は、例えば本実施形態では、その遊技盤ベース７の全体を透光性部材（透明部材）で形成して裏側が視認可能に構成されている。
また、遊技盤ベース７は、透光性部材で形成した領域を少なくとも一部に有し、その透光性部材で形成した領域を介して裏側に配設される画像表示手段（液晶表示装置）１８、及び後述する装飾ユニットに備えた装飾部材などが遊技者側から視認されることで演出効果・装飾効果などを奏し得るものであればよい。
【００３４】
遊技盤ベース７を形成する透光性部材は、例えば、遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂材、ポリアリレート樹脂材などが任意に選択される。また、樹脂以外の材質、例えばガラスなどを採用することも本発明の範囲内であり設計変更可能である。
遊技盤ベース７の全体を構成する透光性部材は無色透明とするが、有色透明部材を採用することも可能である。また仕様によっては遊技盤ベース７を無色透明部材と有色透明部材とで構成したり、遊技盤ベース７に色彩・模様を施したりすることも可能であり、前記画像表示手段（液晶表示装置）１８の表示に悪影響を及ぼさない範囲内で設計変更可能である。この場合、模様は無色透明の線図が好ましいが、遊技盤ベース７の裏面側に配設される画像表示手段（液晶表示装置）１８の構成によっては有色模様を施すことも可能である。
【００３５】
装飾ユニット３３は、上述した通り、遊技盤ベース７と画像表示手段１８との間に備えられ、装飾部材として、例えば上部装飾部材４０と下部装飾部材５２がそれぞれ組み込まれている（図３及び図９参照）。
【００３６】
装飾ユニット３３は、例えば本実施形態では、図２、図３及び図９に示すように、遊技盤ベース７の背面側に着脱可能に取り付けられており、遊技盤ベース７と略同一の大きさに形成され、かつ画像表示手段１８を視認可能とする貫通孔３４を設けた略矩形状の枠部３５と、その枠部３５の貫通孔３４の下方領域３５ｋの裏側に着脱可能に設けられる背面板（入賞球通路カバー）３９とを含み、その貫通孔３４の上方領域には上部装飾部材４０が着脱可能に取り付けられ、下方領域には下部装飾部材５２が着脱可能に取り付けられている（図３参照）。
なお、この背面板３９は透光性を有する部材で形成されている。
また、枠部３５は、貫通孔３４の下方領域３５ｋの略中央領域に、奥行き方向で貫通した大入賞装置１１の大入賞口用の開口３６と、その開口３６の下方に設けられているアウト口用の開口３７を有している。
さらに、背面板３９は、図３及び図４に示すように、枠部３５の下方領域３５ｋの上面縁３５ｈよりも上方に延びた壁部３９ａを備え、その前面側には、左右端付近から下り傾斜状に形成された左右の入賞球通路Ｐ１，Ｐ２を設けており、その左右の入賞球通路Ｐ１，Ｐ２の間の領域には、前記枠部３５に設けた大入賞口用の開口３６と合致する開口３９ｂが設けられている。
【００３７】
上部装飾部材４０は、光拡散加工が施された光拡散領域ＳＡ１乃至ＳＡ３を有する所定形状の上部装飾役物４１と、その上部装飾役物４１を発光装飾する上部発光装置４４とで構成され、遊技領域の上方領域、すなわち本実施形態では、表面領域Ａにおいて、画像表示手段１８による装飾図柄１９が表示される領域（画像表示領域Ａ２）より上方の遊技球転動領域Ａ１を、遊技盤６の背面側から光により演出・装飾する（図２参照）。
上部装飾部材４０は、例えば図６及び図７に示す上部装飾役物４１のベース部材４２の側面に設けた弾性を有する係止突片４２ａを、図５に示すように枠部３５に設けた係止孔部３５ｍに弾性係合させて枠部３５の貫通孔３４の上方領域に着脱可能に取り付けられている。なお、上部装飾部材４０の枠部３５への取り付け手段は特に限定されず本発明の範囲内で設計変更可能である。
【００３８】
上部装飾役物４１は、図３及び図９に示すように、遊技球転動領域Ａ１の上方領域の左右方向略全域にわたる長さ、及び枠部３５の奥行き方向幅と略同一の奥行き方向幅をもって構成されており、本実施形態では、図６に示すように、例えば神輿（みこし）の屋根部分の正面形態を立体的に表現した装飾屋根部４３と、装飾屋根部４３と一体に設けられた左右の装飾板部４５，４５と、それら装飾屋根部４３と左右の装飾板部４５，４５を備えたベース板部４２で構成されている。
【００３９】
装飾屋根部４３は、遊技球転動領域Ａ１の上方領域の左右方向略全域にわたる長さをもって延びた屋根底面枠４３ａと、屋根底面枠４３ａの左右端部に設けた左右の装飾端部（蕨手部分）４３ｂ，４３ｂと、その左右の装飾端部４３ｂ，４３ｂから前記上方領域の略上端付近までそれぞれ昇り傾斜状に設けた左右の傾斜枠（野筋部分）４３ｃ，４３ｃと、その左右の傾斜枠４３ｃ，４３ｃの上端間を結ぶ頂面枠４３ｄと、前記屋根底面枠４３ａと左右の装飾端部４３ｂ，４３ｂと左右の傾斜枠４３ｃ，４３ｃと頂面枠４３ｄとで区画された正面領域に一体に配設されるランプレンズ部４４とで構成されている。
また本実施形態では、前記頂面枠４３ｄの上端に、鳳凰を模った造形を前面に備え、正面に凹凸加工を施した上面板部４３ｅを一体的に設けている。
そして、光拡散領域ＳＡ１は、本実施形態では、前記屋根底面枠４３ａと左右の装飾端部４３ｂ，４３ｂと左右の傾斜枠４３ｃと頂面枠４３ｄ、及び上面板部４３ｅに光拡散加工を施すことで形成している。
【００４０】
前記屋根底面枠４３ａと左右の装飾端部４３ｂ，４３ｂと左右の傾斜枠４３ｃと頂面枠４３ｄと上面板部４３ｅは、たとえばクロムメッキなどの金属色を有する加工（光拡散加工）が施された樹脂部材で構成することにより、この枠全域を光拡散領域ＳＡ１としている。本実施形態では金属色として黄金色を想定している。
また、この金属色の枠には所定の図柄装飾が施されている。金属色は特に限定されず、各発光装置からの光を受けた際に光り輝くものが好ましく、例えば本実施形態では神輿を想定していることから神々しく光り輝くように黄金色としている。
さらに、これら枠部分に所定の凹凸加工を施すことで光拡散効果を向上させて視覚的な演出・装飾効果をさらに向上させてもよい。
【００４１】
また本実施形態では、光拡散領域ＳＡ１を形成する光拡散加工として、前記左右の装飾端部４３ｂ，４３ｂと左右の傾斜枠４３ｃを、遊技盤ベース７の背面方向に向けて下り傾斜状の傾斜面Ｄ１に形成している。
すなわち、この傾斜面Ｄ１に各所定の発光装置からの光が当たると、その光は遊技者方向へと反射する。
【００４２】
前記ランプレンズ部４４は、後述する上部発光装置４９の中央ＬＥＤ基板に対応して配設され、透光性を有する部材からなり、中央の領域に楕円形状に区画して備えた中央レンズ部４４ａと、その中央レンズ部４４ａの周辺に備えた周辺レンズ部４４ｂとで構成されている。
この中央レンズ部４４ａには、本実施形態では、例えば神輿の屋根に備えられている屋根紋などの所定の図柄装飾を、印刷あるいはシールなどで施すことを想定している。
周辺レンズ部４４ｂは、例えば本実施形態では、その背面側に所定の凹凸加工を施すことで光拡散領域ＳＡ２が形成されている。この光拡散領域ＳＡ２は、前面側に形成するものであっても前面及び背面の双方に形成するものであってもよい。
【００４３】
左右の装飾板部４５，４５は、前記装飾屋根部４３の上面板部４３ｅの左右端部から水平方向に延設された天サイドレンズ部４６，４６と、そのそれぞれの天サイドレンズ部４６，４６と前記装飾屋根部４３の左右の装飾端部４３ｂ，４３ｂとの間の領域に一体に配設された正面レンズ部４７とで構成されている。
【００４４】
天サイドレンズ部４６は、上下方向及び奥行き方向に所定の幅をもって形成されており、後述する上部発光装置４９の天サイドＬＥＤ基板５１に対応して配設されている。
また、この天サイドレンズ部４６は、前面部４６ａと下面部４６ｂに所定の凹凸加工が施されているとともに、下面部４６ｂの内面には、図１０（ａ）に示すように、天サイドＬＥＤ５１ａと対向して、そのＬＥＤ５１ａからの光を前記傾斜部Ｄ１に向けて上方から照射可能とする指向性調整部（ランプ部材）４８を突設している。
指向性調整部４８は、前記下面部４６ｂの内面に各天サイドＬＥＤ５１ａと対向して上方に向けて突設するとともに、上下方向に誘導孔部４８ａを設けることで構成している（図１０（ａ）参照。）。
【００４５】
正面レンズ部４７は、その前面の全領域にわたって所定の凹凸加工を施して光拡散領域ＳＡ３を形成している。この正面レンズ部４７は、上部発光装置４９の中央ＬＥＤ基板５０や、天サイドＬＥＤ基板５１の各ＬＥＤ５１ａ等から照射される光や、開閉扉２に配設された発光装置から照射される光などを所定方向に拡散させて光による演出・装飾効果を高めるものである。
【００４６】
上部発光装置４９（上部盤面ＬＥＤ）は、前記装飾屋根部４３のランプレンズ部４４に対向して配設される複数個のＬＥＤ（Light Emitting Diode  発光ダイオード）を備えた中央ＬＥＤ基板５０と、左右の装飾板部４５，４５の天サイドレンズ部４６，４６に対向して配設される複数個のＬＥＤ（Light Emitting Diode  発光ダイオード）を備えた天サイドＬＥＤ基板５１で構成されている。
【００４７】
中央ＬＥＤ基板５０は、具体的には、例えば図示しない各ＬＥＤがランプレンズ部に対して垂直方向、すなわち遊技者方向に向けて備えられる。
一方、天サイドＬＥＤ基板５１は、具体的には、例えば図１０（ａ）に示すように、各ＬＥＤ５１ａが、天サイドレンズ部４６の下面部４６ｂに突設した各指向性調整部４８と同一軸上に備えられる。すなわち、各ＬＥＤ５１ａからの光は、それぞれ対向する指向性調整部４８の誘導孔部４８ａに誘導されて、そのＬＥＤ５１ａからの光を前記傾斜面Ｄ１に向けて上方から照射する。なお、図１０（ｂ）に示すように指向性調整部を備えない形態を採用することも可能である。
【００４８】
本実施形態によれば、上部装飾役物４１が遊技領域の左右方向端部間にわたる大きさとしたため、役物による装飾効果を高めることができるとともに、その上部装飾役物４１には、その遊技領域の端部と対応する位置に光拡散領域ＳＡ１が備えられているため、その光拡散領域ＳＡ１が発光装置（例えば天サイドＬＥＤ５１ａ）によって照射されることにより、上部装飾役物４１の端部（例えば左右装飾端部４３ｂ，４３ｂ）が効果的に発光装飾される。
従って、これにより大型化した装飾役物を備えた場合の発光装飾効果の低下を防止できる。すなわち、このような遊技領域の端部と対応する位置は、窓枠に備えた発光装置では効果的に発光装飾することができないため、装飾役物を大型化したとしてもその装飾効果は遊技者の興趣を向上させるほどではない。しかし、本発明のように遊技領域の左右の端部と対応する位置に光拡散領域を形成した装飾役物とすれば、発光装飾効果が得られ難いこのような領域であっても発光装飾効果が得られる。
【００４９】
また、本実施形態のように、装飾ユニット３３に上部装飾部材４０が組み込まれた状態で遊技盤に組み込まれると、装飾ユニット（枠部３５）の奥行き方向幅と略同一幅で上部装飾部材４０が組み込まれていることから、遊技盤６と上部装飾部材４０との間に隙間がなくなり、装飾ユニット３３と遊技盤６で上部装飾部材４０を接触状態で挟み込む形態となる。
遊技盤６と上部装飾部材４０との間に隙間が形成されていると、遊技機の振動等によって遊技盤と上部装飾部材との間で接触によるノイズが生じる場合があるが、遊技盤と上部装飾部材とが接触している本実施形態の場合、上部装飾部材４０を構成している樹脂製の上部装飾役物４１の撓みによって振動を吸収することが可能であるためそのようなノイズが生じない。
【００５０】
特に限定解釈はされないが、この上部装飾部材４０にあっては、次のように構成することも可能である。
すなわち、例えば、上部装飾部材４０を構成する天サイドレンズ部４６を、奥行き方向に所定角度傾斜させた状態に配設する。これにより、装飾ユニット３３の背面側に配設され、貫通孔３４から視認可能な画像表示手段１８に、その表面の光拡散部かＳＡ３から拡散された光が照射される。よって、画像表示領域Ａ２を上部発光装置４９によって発光装飾させることができるため、装飾効果が極めて高くなる。なお、天サイドレンズ部４６を傾斜させて配設するとともに、あるいは天サイドレンズ部４６の傾斜配設に代えて、ＬＥＤを装飾ユニット３３の奥行き方向に向けて傾斜状に配設することも可能である。
【００５１】
下部装飾部材５２は、所定形状の下部装飾役物５３と、その下部装飾役物５３を発光装飾する下部発光装置５５とで構成されており、遊技領域の下方領域を光により演出・装飾する。
【００５２】
下部装飾役物５３は、本実施形態では、後述する下部発光装置５５の各ＬＥＤを覆う所定形状の下部装飾用のランプレンズで、前記枠部３５に設けた大入賞口用の開口３６と背面板３９に設けた開口３９ｂの直上位置で、背面板３９の前面側の中央領域に着脱可能に突設されている。
例えば、下部装飾役物５３は、図２乃至図５に示すように、枠部３５の開口３６の左右方向開口幅と略同一長さを有する下面５３ａと、その下面５３ａの左右端から延設されたなだらかな昇り傾斜面５３ｂ，５３ｂと、その昇り傾斜面５３ｂ，５３ｂのそれぞれの上端同士をつないだ湾曲状の凹面５３ｃと、その下面５３ａ、左右傾斜面５３ｂ，５３ｂ及び凹面５３ｃとで区画された前面領域を覆う前面５３ｄで構成されており、その前面５３ｄ、左右の傾斜面５３ｂ，５３ｂ及び凹面５３ｃには所定の凹凸加工が施されることにより光拡散領域ＳＡ４が形成されている。なお、光拡散領域ＳＡ４の形成領域は本実施形態に限定されず、前面だけでもよく、あるいは光拡散領域を設けない形態であってもよい。
【００５３】
下部発光装置（下部盤面ＬＥＤ）５５は、例えば図５に示すように、複数個のＬＥＤ（Light Emitting Diode  発光ダイオード）を備えた２個の下部装飾用のＬＥＤ基板５６，５６で、背面板３９の所定位置にそれぞれ取り付けられている。
【００５４】
また、本実施形態では、左右下部装飾用の発光装置（左右下部盤面ＬＥＤ）５７，５７を背面板３９の左右所定位置に備えるとともに、それぞれの発光装置５７，５７と対向する枠部３５の下方領域３５ｋの前面側に、それぞれの発光装置５７，５７を覆うように所定形状のランプレンズ５８，５８を備え、前記下部装飾部材５２とともに、遊技領域の下方領域を光により演出・装飾している（図３乃至図５参照。）。
なお、本実施形態では、装飾ユニット３３に下部装飾部材５２を備えた実施の一形態をもって説明するが、少なくとも上部装飾部材４０を備えていれば本実施形態の範囲内であり、下部装飾部材は備えなくても良い。
【００５５】
さらに、第１のガイドレールＬ１には、少なくとも装飾ユニット３３に組み込まれる上部装飾役物４１よりも上方に位置する領域に、発光装飾領域ＲＡを有している。
本実施形態では、第１のガイドレールＬ１の表示領域Ａ側に面した全周にわたり、レール面の損傷を防止するために薄肉金属製の表面被覆部材５９を一体に配設することで発光装飾領域ＲＡを形成している（概略を示す図９参照。）。
このように、第１のガイドレールＬ１に発光装飾領域ＲＡを備えることにより、第１のガイドレールＬ１にも発光装飾の効果を及ぼすことができるので、遊技領域の外周領域を効果的に発光装飾させることができる。また、第２のガイドレールＬ２に同様に発光装飾領域を備えることも可能である。
レール面の損傷防止ではなく、発光装飾の効果を向上させるだけであれば、樹脂製ガイドレールにクロムメッキなどの金属色を有する加工を施すものでもよい。
【００５６】
さらに、本実施形態では、図３及び図４に示すように、前記下部装飾役物５３の正面視下面左右端部に、整流部６０を備えるものとしている。すなわち、本実施形態の下部装飾役物５３は、装飾ユニット３３に設けられた入賞球通路Ｐ１，Ｐ２の球通過領域にも位置している。この入賞球通路Ｐ１，Ｐ２は、一般入賞口及び始動入賞口に入賞した遊技球が集合して流下する位置であるため球詰まりが生じる可能性がある。
従って、その入賞球通路Ｐ１，Ｐ２を通過する遊技球を整列させて流下させ、球詰まりを防止するため整流部６０を備えるものとしている。
【００５７】
整流部６０は、下部装飾役物５３の正面視左右端部から、それぞれ入賞球通路Ｐ１，Ｐ２の上方領域へと突設し、入賞球通路Ｐ１，Ｐ２との間に所定の通過領域Ｐ３を形成している。
本実施形態では、上面部６０ａを水平方向と平行とするとともに、下面部６０ｂを先端方向に向けて傾斜させることにより、整流部６０は基端６０ｃ側から先端６０ｄ側に行くにしたがって薄肉状となるように形成されている。すなわち、下面部６０ｂと入賞球通路Ｐ１，Ｐ２との間の通過領域Ｐ３が、上流側から下流側に行くに従って（矢印Ｘ１方向に行くに従って）順次狭められていく形態を採用しているため遊技球の整流効果が高く球詰まりを有効に防止することができる。
【実施例２】
【００５８】
図１１乃至図１８は本発明の実施例２を示し、本実施例形態では、装飾ユニット３３に組み込まれる上部装飾部材４０と下部装飾部材５２が実施例１と相違する。なお、本実施例２では、上部装飾部材４０と下部装飾部材５２に実施例１と相違する構成を採用した点に特徴があり、その他の構成及び作用効果は実施例１と同様であるため、同一箇所に同一符号を付してその説明を省略する。
上部装飾部材４０と下部装飾部材５２が、それぞれ上部装飾役物４１と上部発光装置４９、下部装飾役物５３と下部発光装置５５で構成されている点も実施例１と同一である。
【００５９】
上部装飾役物４１は、遊技領域の上方領域の左右方向略全域にわたる長さをもって構成されており、枠部３５の貫通孔３４の上方領域に着脱可能に取り付けられている。
本実施形態の上部装飾役物４１は、図１２及び図１７に示すように、例えば所定の文字形態を立体的に表現したもので、前記貫通孔３４の上方領域の左右方向略全域にわたって嵌り込む形状の頂面領域を有したベース部材６１と、ベース部材６１に取り付けられた所定形状の上部役物カバー６２と、上部役物カバー６２を前面から覆う所定形状の中央役物レンズ部６３と、その上部役物カバー６２の左右端部からそれぞれベース部材６１の端部にわたって配設された左右の装飾レンズ部６４，６４とで構成されている。
【００６０】
上部役物カバー６２は、後述する中央役物レンズ部６３の前面レンズ部６３ａが嵌め込み可能な左右方向幅を有する前面開口と、その中央役物レンズ部６３の仕切り部６３ｂ及びロゴレンズ部６３ｃ、そしてそのロゴレンズ部６３ｃの背面側に備えられる上部発光装置４９を収容可能な所定の奥行き方向幅をもって形成され、ベース部材６１の略中央位置に吊り下げ状態に取り付けられている。また、上面領域と背面領域も開口されている。
本実施形態では、上部役物カバー６２は、例えば、クロムメッキなどの金属色を有する加工（光拡散加工）が施された樹脂部材で構成することにより、このカバー全域を光拡散領域ＳＡ５としている。金属色は特に限定されず、各発光装置からの光を受けた際に光り輝くものが好ましい。
【００６１】
中央役物レンズ部６３は、後述する上部発光装置４９の中央ＬＥＤ基板５０に対応して配設され、正面視で所定の文字（ロゴ）形態を形成した透光性を有する部材からなる前面レンズ部６３ａと、その前面レンズ部６３ａの背面側に備えられ、前面レンズ部６３ａのそれぞれの文字毎を区切る仕切り部６３ｂと、そのそれぞれの仕切り部６３ｂの中央に備えたロゴレンズ部６３ｃで構成されている。
また、本実施形態では、「H」「A」「N」「A」「B」「I」の欧文字が前面に浮き彫り状に形成され、その外周部に凹凸加工を設けて光拡散領域ＳＡ５を形成している。本実施形態では、一枚のレンズ板で形成されている実施の一形態を示しているが、それぞれ一文字ずつ別個に形成されているものであってもよく本発明の範囲内で設計変更可能である。
また、特に限定されるものではないが、その中央役物レンズ部６３の背面側に所定の凹凸加工を施すことで光拡散領域を形成してもよく、あるいは、前面側に形成するものであっても前面及び背面の双方に形成するものであってもよい。
【００６２】
左右の装飾レンズ部６４は、前面側に所定の凹凸加工を施して光拡散領域ＳＡ６が形成された平板のレンズ板で、奥行き方向に所定角度傾斜させた状態に配設されている。
【００６３】
上部発光装置（上部盤面ＬＥＤ）４９は、前記上部装飾役物４１の各ロゴレンズ部６３ｃに対向して配設される複数個のＬＥＤ（Light Emitting Diode  発光ダイオード）を備えたＬＥＤ基板５０により構成されている。
ＬＥＤ基板５０は、具体的には、例えば各ＬＥＤがロゴレンズ部６３ｃに対して垂直方向、すなわち遊技者方向に向けて備えられる。
図中６５は、上部発光装置４９を収容した上部役物カバー６２の背面側を覆うように取り付けられる基板ホルダーである。
【００６４】
このように画像表示手段１８の前面に上部装飾部材４０が配設されることにより、実施例１と同様に装飾ユニット３３の背面側に配設される画像表示手段１８による画像表示領域Ａ２には、前記上部装飾部材４０によりその一部（画像表示領域Ａ２の上方領域）が隠される隠蔽領域Ａ５が形成される。
しかし、本実施形態の上部役物カバー６２は、所定の奥行き方向幅（厚み）をもって形成され、かつ金属色を有する加工が施されていることから、装飾ユニット３３の背面側に配設される画像表示手段１８の画像が、このカバー６２の表面に映り込むことになるため、隠蔽される画像を補完することができる。
すなわち本実施形態によれば、上部装飾部材４０を備えた装飾ユニット３３の背面側に画像表示手段１８を配設して画像表示手段１８と上部装飾部材４０との位置を近接させているため、映り込みによる画像表示手段１８の画像補完が可能である。
【００６５】
また、本実施形態では、左右の装飾レンズ部６４，６４が、奥行き方向に所定角度傾斜させた状態で配設されているため、装飾ユニット３３の背面側に配設され、貫通孔３４から視認可能な画像表示手段１８に、その表面の光拡散部ＳＡ６から拡散された光が照射される。よって、画像表示領域Ａ２をこの装飾レンズ部６４，６４によって発光装飾させることができるため、装飾効果が極めて高くなる。なお、装飾レンズ部６４を傾斜させて配設するとともに、あるいは装飾レンズ部６４の傾斜配設に代えて、ＬＥＤを装飾ユニット３３の奥行き方向に向けて傾斜状に配設することも可能である。
【００６６】
下部装飾部材５２は、実施例１と同様に、所定形状の下部装飾役物５３と、その下部装飾役物５３を発光装飾する下部発光装置５５とで構成されており、遊技領域の下方領域を光により演出・装飾する。
【００６７】
下部装飾役物５３は、本実施形態では、打ち揚げ花火の打ち揚げ筒を模した形態の複数の筒状役物６６…と、その複数の筒状役物６６の前面下方領域に一体に配される草を模した形態の横長板状の前面役物６７と、複数の筒状役物６６のそれぞれの背面側をつなぐ横長板状の背面役物６８で構成されている。この下部装飾役物５３は、透光性を有する樹脂部材などで形成されている。
そして、前記枠部３５に設けた大入賞口用の開口３６と背面板３９に設けた開口３９ｂの直上位置で、背面板３９の前面側の中央領域に着脱可能に突設されている。
なお、特に本実施例では図示しないが、下部装飾役物５３の所定領域に、所定の凹凸加工を施すことにより光拡散部を形成するものとしてもよい。
【００６８】
下部発光装置（下部盤面ＬＥＤ）５５は、実施例１と同様であって、複数個のＬＥＤ（Light Emitting Diode  発光ダイオード）を備えた２個の下部装飾用のＬＥＤ基板５６，５６で、背面板３９の所定位置にそれぞれ取り付けられている。
【図面の簡単な説明】
【００６９】
【図１】遊技機の一例を示す概略正面斜視図である。
【図２】実施例１における装飾ユニットを遊技盤の背面側に備えた状態の概略斜視図で、遊技盤ベースは省略されている。
【図３】装飾ユニットの概略正面斜視図である。
【図４】上部装飾部材を除いた装飾ユニットの概略正面斜視図である。
【図５】上部装飾部材を除いた装飾ユニットの概略背面図である。
【図６】上部装飾部材の概略正面斜視図である。
【図７】上部装飾部材の概略背面斜視図である。
【図８】上部装飾部材の概略平面図である。
【図９】遊技盤と装飾ユニットと画像表示手段との位置関係を示す部分概略断面図である。
【図１０】上部装飾部材の上部発光装置と天サイドレンズ部と上部装飾役物の傾斜面との関係を示す図で、（ａ）は指向性調整部を備えた形態の概略断面図、（ｂ）は指向性調整部を備えない形態の概略斜視図である。
【図１１】実施例２における装飾ユニットを遊技盤の背面側に備えた状態の概略斜視図で、遊技盤ベースは省略されている。
【図１２】装飾ユニットの概略正面斜視図である。
【図１３】遊技盤の背面側に備えた装飾ユニットの概略背面斜視図である。
【図１４】図１３の状態から枠部を除いた状態の概略背面斜視図である。
【図１５】図１４の状態から基板ホルダーを除いた状態の概略背面斜視図である。
【図１６】図１５の状態から上部発光装置を除いた状態の概略斜視図である。
【図１７】上部装飾部材の概略正面斜視図である。
【図１８】下部装飾部材を構成する下部装飾役物の概略正面斜視図のである。
【符号の説明】
【００７０】
Ａ  遊技領域
Ａ１  遊技球転動領域
Ａ２  画像表示領域
６  遊技盤
７  遊技盤ベース
１８  画像表示手段
３３  装飾ユニット
３５  枠部
４０  上部装飾部材
４１  上部装飾役物
４９  上部発光装置
【図１】
2009005848.tif 000003
【図２】
2009005848.tif 000004
【図３】
2009005848.tif 000005
【図４】
2009005848.tif 000006
【図５】
2009005848.tif 000007
【図６】
2009005848.tif 000008
【図７】
2009005848.tif 000009
【図８】
2009005848.tif 000010
【図９】
2009005848.tif 000011
【図１０】
2009005848.tif 000012
【図１１】
2009005848.tif 000013
【図１２】
2009005848.tif 000014
【図１３】
2009005848.tif 000015
【図１４】
2009005848.tif 000016
【図１５】
2009005848.tif 000017
【図１６】
2009005848.tif 000018
【図１７】
2009005848.tif 000019
【図１８】
2009005848.tif 000020